(57)【要約】      （修正有）【課題】本来、携帯電話機を携帯していなければ、取りに帰らないと、その日の予定行動に全く支障を来すものであり、その携帯電話機を使用しないと、受信・送信はできないものであるが、スペアの携帯電話機を用いることにより可能となる、電話番号を共用する二つの携帯電話機を提供する。【解決手段】携帯電話機において、携帯電話機１と、該電話機１のスペアとして、別個の携帯電話機１′とをそれぞれ設け、これらの電話機１，１′の電話番号を同一番号とし、いずれか一の電話機１または１′を使用する際には、その使用中、他の電話機１′または１の使用を停止する停止機能装置２を、それぞれに設けることを特徴とする電話番号を共用する二つの携帯電話機から構成される。【選択図】図２
0003172140.tif 000002
【実用新案登録請求の範囲】
【請求項１】
携帯電話機において、携帯電話機（１）と、該電話機（１）の複数のスペアとして、別個の携帯電話機（１′）とをそれぞれ設け、これらの電話機（１，１′）の電話番号を同一番号とし、いずれか、一の電話機（１または１′）が、発信、あるいは着信した際には、その使用中に限り、他の電話機（１′または１）の使用を停止する停止機能装置（２）を、それぞれに設けたことを特徴とする電話番号を共通する複数の携帯電話機。
【考案の詳細な説明】
【技術分野】
【０００１】
この考案は、電話番号を共用する複数の携帯電話機に関するものである。
【背景技術】
【０００２】
従来、携帯電話は、家庭や事業所に設置されている固定電話と異なり、携帯と呼ばれているように、使用者が身につけて持つ電話であり、いつでも、発信基地があれば、どこからでも受信・送信が可能であり、大変、便利な通信機器であり、今や携帯電話機の存在は、日常生活の一部とさえなっている。
【０００３】
しかしながら、この携帯電話機は、小型であり、つい、忘れて出て来てしまい、また、充電する必要があるため、家庭、会社等の事業所や車の中等で充電中であると、余計に忘れてしまいがちであった。
【０００４】
忘れた際には、面倒でもその場所まで携帯電話機を取りに帰らなければならず、時間のロスであり、固定電話のない場所では、相手方に連絡ができず、また、人の携帯電話機を借りて連絡しても、大抵は、相手方は携帯の電話番号を登録されているため、登録されてない他人からの携帯電話には、出ない場合もあり、場合によっては、訝しがられる恐れがあった。
【０００５】
その煩雑さをなくすためには、使用者が携帯電話機を２台保有すれば、事足りるわけではあるが、それでは携帯電話機ごとに使用料金が発生し、不経済であり、しかも、電話番号が異なるため、顧客等の受信者に対しても、異なった番号からの着信に対しても受信しなければならず、顧客等への信頼性を欠く恐れもあるとの欠点があった。
【０００６】
一方、１つの子機を、複数の携帯電話機に対して共用可能とするため、子機が着信した携帯電話を認識可能にし、かつ、認証された携帯電話受信者が子機で通話できるようにしたものは存在した。例えば、特許文献１のように。
【先行技術文献】
【特許文献】
【０００７】
【特許文献１】特開２００２−１３５４０９号公報
【０００８】
しかしながら、この方法によると、子機に、親機となる携帯電話機を登録し、登録された携帯電話機に対し子機として動作させることで、１台の子機は複数の親機に対応させるものであり、その構成は煩雑なものであった。
【考案の概要】
【考案が解決しようとする課題】
【０００９】
そこでこの考案は、本来、常時、携帯しておく携帯電話機を忘れてしまい、該携帯電話機を取りに帰らないと、その日の予定行動は、全く支障を来すものであり、その携帯電話機を使用しないと、受信・送信はできないものであるが、複数の携帯電話機を用いることにより可能な、電話番号を共用する複数の携帯電話機を開発・提供するものである。
【課題を解決するための手段】
【００１０】
この考案である課題を解決するための手段は、複数台の携帯電話に、共用の電話番号を有するスペアの携帯電話を所持させることにより、一の携帯電話機を忘れてても、他の携帯電話機を用して受信・送信の対応ができるよう構成するものである。
【考案の効果】
【００１１】
この考案によると、携帯電話機をスペアとすることにより、一の携帯電話機を不携帯であっても、他のスペアの携帯電話機を使用することにより、同一の電話番号によって、受信・送信ができるものであり、すこぶる便利であり、受信・送信以外の使用であれば、他方携帯電話機も利用でき、同時に複数台あればある程便利である等極めて有益な効果を奏するものである。
【図面の簡単な説明】
【００１２】
【図１】この考案の一実施例を示し、（ａ）は、一の携帯電話機、（ｂ）は、他の携帯電話機のそれぞれ正面図である。
【図２】この考案の一実施例を示す一部断面図である。
【考案を実施するための形態】
【００１３】
この考案は、従来の１個の携帯電話機に対して、それぞれの電話番号を付与するのではなく、複数の携帯電話機に対して、１個の電話番号を付与する，即ち，共用の電話番号を設けたものであり、そのため、会社・車・自宅へ１台づつ置いておければ、殆ど、携帯電話を所持せずとも通話が可能となる，使い勝手のよい電話番号を共用する複数の携帯電話機を提供するものである。
【実施例】
【００１４】
この考案の一実施例を図１、および図２に基づいて説明すると、携帯電話機において、携帯電話機（１）と、該電話機（１）のスペアとして、複数の携帯電話機（１′）とをそれぞれ設け、これらの電話機（１，１′）の電話番号を同一番号とし、いずれか、一の電話機（１または１′）を使用する際には、その使用中、他の電話機（１′または１）の使用を停止する停止機能装置（２）を、それぞれに設けることを特徴とする電話番号を共用する複数の携帯電話機から構成されるものである。
尚、図２においては、他の複数台の携帯電話機（１′）として１台のみを掲載し、他の携帯電話機（１′）の複数を割愛したが、実際には多数存在するものである。
【００１５】
尚、停止機能装置（２）は、通常の携帯電話機と同様に発信基地を介して、感知が可能となるよう機能するものであり、一の携帯電話機（１または１′）が受信を示す受信信号と、受信が終わる迄、または、発信を示す発信信号と、発信が終わる迄、他の携帯電話機（１′または１）の受信および発信を停止するよう構成したものである。
【００１６】
即ち，一の携帯電話機（１または１′）が、発信する際のオンフック信号を感知し、その発信が終了する際のオフフック信号を感知する迄、他の携帯電話機（１′または１）の発信・受信の動作ができないよう、その機能を停止するよう構成するものである。
【００１７】
また、それぞれの携帯電話機（１および１′）の該電話機の機能に組み込まれた他の無料のプログラムである、例えば、予定表を確認したり、登録電話帳で登録された電話番号の確認等の使用は、問題なくできるよう構成するものである。
【００１８】
このように、互いの携帯電話機に、それぞれ停止機能装置（２）を構成することにより、その結果、常に、一方が使用中の場合は、他方では使用できないよう構成することにより、携帯電話機を使用することによるスペアとする複数の携帯電話機の使用料は発生しない。
【産業上の利用可能性】
【００１９】
この考案によると、電話番号を共用する複数の携帯電話機の技術を確立し、実施・販売することにより産業上の利用可能性がある。
【符号の説明】
【００２０】
１  携帯電話機
１′スペアとした複数の携帯電話機
２  機能停止装置
【図１】
0003172140.tif 000003
【図２】
0003172140.tif 000004
【手続補正書】
【提出日】平成23年10月12日(2011.10.12)
【手続補正１】
【補正対象書類名】実用新案登録請求の範囲
【補正対象項目名】全文
【補正方法】変更
【補正の内容】
【実用新案登録請求の範囲】
【請求項１】
携帯電話機において、１の携帯電話機（１）と、他の携帯電話機（１′）とをスペアとし、これら両携帯電話機（１，１′）の電話番号をそれぞれ同一番号とし、
これらいずれか、一方の携帯電話機（１，１′）が、発信、あるいは着信した際には、
これら両携帯電話機の間で、発信基地を介して、感知が可能となる停止機能装置（２）をそれぞれ設け、一方の携帯電話機（１，１′）が受信を示す受信信号と、受信が終わる迄、または、発信を示す発信信号と発信が終わる迄、他の携帯電話機（１′，１）の受信および発信を停止する停止機能装置（２）を設けたことを特徴とする電話番号を共用する複数の携帯電話機。